【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
サービスの実行を要求する要求装置からネットワークを介して要求されたサービスを実行し、サービスの実行により発生したイベントの取得を要求するイベント要求装置に前記ネットワークを介して要求されたイベントを通知するネットワークシステムにおけるイベント取得制御方法であって、
前記要求装置がサービスの実行を要求するための入力中であるか、判断手段が判断する判断工程と、
前記判断工程において、前記要求装置がサービスの実行を要求するための入力中であると判断した場合は、前記要求装置がサービスの実行を要求するための入力中でないと判断した場合よりも、前記イベント要求装置がイベントの取得を要求する間隔を、間隔設定手段が短く設定する間隔設定工程とを有することを特徴とするイベント取得制御方法。
【請求項２】
前記要求装置が前記ネットワーク上に複数存在する場合、前記判断工程において、前記複数の要求装置の少なくとも１つがサービスの実行を要求するための入力中であるか、前記判断手段が判断し、
前記複数の要求装置の少なくとも１つがサービスの実行を要求するための入力中であると判断した場合は、前記間隔設定工程において、前記要求装置の全てがサービスの実行を要求するための入力中でないと判断した場合よりも、前記イベント要求装置がイベントの取得を要求する間隔を、前記間隔設定手段が短く設定することを特徴とする請求項１記載のイベント取得制御方法。
【請求項３】
実行可能なサービスが複数存在する場合、前記判断工程において、前記要求装置が実行を要求するための入力中であるか、前記判断手段がサービスごとに判断し、
前記間隔設定工程において、前記要求装置がサービスの実行を要求するための入力中であると判断したサービスの実行により発生したイベントの取得を要求する間隔を、前記要求装置が当該サービスの実行を要求するための入力中でないと判断した場合よりも、前記間隔設定手段が短く設定することを特徴とする請求項１記載のイベント取得制御方法。
【請求項４】
サービスの実行を要求する要求装置からのネットワークを介した要求により複数のサービスを実行し、複数のサービスのそれぞれを実行することにより発生したイベントをイベント要求装置からの前記ネットワークを介した要求により前記イベント要求装置に通知するネットワークシステムにおけるイベント取得制御方法であって、
前記要求装置が実行を要求するための入力中であるか、判断手段が複数のサービスのそれぞれについて判断する判断工程と、
前記要求装置が実行を要求するための入力中であると判断したサービスの実行により発生したイベントの取得を要求する頻度を、前記要求装置が実行を要求するための入力中でないと判断したサービスの実行により発生したイベントの取得を要求する頻度よりも、頻度設定手段が高く設定する頻度設定工程とを有することを特徴とするイベント取得制御方法。
【請求項５】
サービスの実行を要求する要求装置から要求されたサービスを実行するサービス実行装置によるサービスの実行により発生したイベントの取得をネットワークを介して要求するイベント要求装置におけるイベント取得制御方法であって、
前記要求装置がサービスの実行を要求するための入力中であるか、判断手段が判断する判断工程と、
前記要求装置がサービスの実行を要求するための入力中であると判断した場合は、前記要求装置がサービスの実行を要求するための入力中でないと判断した場合よりも、イベントの取得を要求する間隔を、間隔設定手段が短く設定する間隔設定工程とを有することを特徴とするイベント取得制御方法。
【請求項６】
サービスの実行を要求する要求装置からの要求により複数のサービスのそれぞれをサービス実行装置が実行することにより発生したイベントをネットワークを介して要求するイベント要求装置におけるイベント取得制御方法であって、
前記要求装置が実行を要求するための入力中であるか、判断手段が複数のサービスのそれぞれについて判断する判断工程と、
前記要求装置が実行を要求するための入力中であると判断したサービスの実行により発生したイベントの取得を要求する頻度を、前記要求装置が実行を要求するための入力中でないと判断したサービスの実行により発生したイベントの取得を要求する頻度よりも、頻度設定手段が高く設定する頻度設定工程とを有することを特徴とするイベント取得制御方法。
【請求項７】
サービスの実行を要求する要求装置からネットワークを介して要求されたサービスを実行し、サービスの実行により発生したイベントの取得を要求するイベント要求装置に前記ネットワークを介して要求されたイベントを通知するサービス実行装置におけるイベント取得制御方法であって、
前記要求装置がサービスの実行を要求するための入力中であるか、判断手段が判断する判断工程と、
前記要求装置がサービスの実行を要求するための入力中であると判断した場合は、前記要求装置がサービスの実行を要求するための入力中でないと判断した場合よりも、前記イベント要求装置がイベントの取得を要求する間隔を短くするように、指示手段が前記イベント要求装置に指示する指示工程とを有することを特徴とするイベント取得制御方法。
【請求項８】
要求装置から要求されたサービスをサービス実行装置が実行することにより発生したイベントの取得を要求するイベント要求装置であって、
前記要求装置がサービスの実行を要求するための入力中であるか、判断する判断手段と、
前記要求装置がサービスの実行を要求するための入力中であると判断した場合は、前記要求装置がサービスの実行を要求するための入力中でないと判断した場合よりも、イベントの取得を要求する間隔を短縮する短縮手段とを有することを特徴とするイベント要求装置。
【請求項９】
サービスの実行を要求する要求装置からネットワークを介して要求されたサービスを実行し、サービスの実行により発生したイベントの取得を要求するイベント要求装置に前記ネットワークを介して要求されたイベントを通知するサービス実行装置であって、
前記要求装置がサービスの実行を要求するための入力中であるか、判断する判断手段と、
前記要求装置がサービスの実行を要求するための入力中であると判断した場合は、前記要求装置がサービスの実行を要求するための入力中でないと判断した場合よりも、前記イベント要求装置がイベントの取得を要求する間隔を短くするように、前記イベント要求装置に指示する指示手段とを有することを特徴とするサービス実行装置。
【請求項１０】
要求装置から要求されたサービスをサービス実行装置が実行することにより発生したイベントの取得を要求するコンピュータに、
前記要求装置がサービスの実行を要求するための入力中であるか判断する判断手順と、
前記要求装置がサービスの実行を要求するための入力中であると判断した場合は、前記要求装置がサービスの実行を要求するための入力中でないと判断した場合よりも、イベントの取得を要求する間隔を短縮する短縮手順とを実行させることを特徴とするプログラム。
【請求項１１】
サービスの実行を要求する要求装置からネットワークを介して要求されたサービスを実行し、サービスの実行により発生したイベントの取得を要求するイベント要求装置に前記ネットワークを介して要求されたイベントを通知するコンピュータに、
前記要求装置がサービスの実行を要求するための入力中であるか、判断する判断手順と、
前記要求装置がサービスの実行を要求するための入力中であると判断した場合は、前記要求装置がサービスの実行を要求するための入力中でないと判断した場合よりも、前記イベント要求装置がイベントの取得を要求する間隔を短くするように、前記イベント要求装置に指示する指示手順とを実行させることを特徴とするプログラム。
【手続補正２】
【補正対象書類名】明細書
【補正対象項目名】０００７
【補正方法】変更
【補正の内容】
【０００７】
上記目的を達成するために、本発明のイベント取得制御方法は、サービスの実行を要求する要求装置からネットワークを介して要求されたサービスを実行し、サービスの実行により発生したイベントの取得を要求するイベント要求装置に前記ネットワークを介して要求されたイベントを通知するネットワークシステムにおけるイベント取得制御方法であって、前記要求装置がサービスの実行を要求するための入力中であるか、判断手段が判断する判断工程と、前記判断工程において、前記要求装置がサービスの実行を要求するための入力中であると判断した場合は、前記要求装置がサービスの実行を要求するための入力中でないと判断した場合よりも、前記イベント要求装置がイベントの取得を要求する間隔を、間隔設定手段が短く設定する間隔設定工程とを有することを特徴とする。